(57)【要約】      （修正有）【課題】使い勝手を向上させたライティングボードを提供する。【解決手段】ライティングボードは、内部に縦方向に中空セルを含む二本のメインフレームと、二本のメインフレームの互いに対向する側に設けられる昇降ガイドレールと、両側が昇降ガイドレールにガイドされ、昇降できるパネル部と、中空セルの上端に設置される滑車セットと、中空セル内部に設置され、滑車セットを介してパネル部に連結されるカウントバランスセットと、を含む。滑車セットは、中空セルの上端に位置決めされる位置決め台と、位置決め台に取り付けられるシャフトと、シャフトに取り付けられるアイドルプーリとを含む。カウントバランスセットは、中空セル内に昇降可能に設けられるバランスウエイトユニットと、一端がパネル部に連結され、他端がアイドルプーリを経てバランスウエイトユニットに連結されるワイヤと、を含む。パネル部は、カウントバランスセットにより、受けた力に応じて昇降ガイドレールに沿って上下移動するとともに、パネルへの力が解放されても一定の位置に保持される。【選択図】図１
0003155101.tif 000002
【実用新案登録請求の範囲】
【請求項１】
間隔が置かれ、縦向きに設けられ、内部に縦方向に中空セルを含む二本のメインフレームと、
前記二本のメインフレームの互いに対向する側に設けられる昇降ガイドレールと、
少なくとも一つのライティングパネルを含み、両側が前記昇降ガイドレールにガイドされ、前記昇降ガイドレールに沿って昇降して移動できるように設けられるパネル部と、
前記二本のメインフレームそれぞれの前記中空セルの上端に設置される滑車セットと、
前記二本のメインフレームそれぞれの前記中空セル内部に設置され、前記滑車セットを介して前記パネル部に連結されて、前記パネル部にカウントバランス機能を与えるカウントバランスセットと、を含み、
前記滑車セットは、
前記中空セルの上端に位置決めされる位置決め台と、
該位置決め台に取り付けられるシャフトと、
該シャフトに取り付けられるアイドルプーリと、を含み、
前記カウントバランスセットは、前記中空セル内に昇降可能に設けられるバランスウエイトユニットと、
一端が前記パネル部に連結され、他端が前記滑車セットの前記アイドルプーリを経て前記バランスウエイトユニットに連結されるワイヤと、を含み、
前記パネル部は、前記カウントバランスセットによるカウントバランス機能により、受けた力に応じて前記昇降ガイドレールに沿って上下移動するとともに、前記パネルへの力が解放されても一定の位置に保持されることを特徴とするライティングボード。
【請求項２】
前記滑車セットは、前記位置決め台の片側に設けられ、前記アイドルプーリに摩擦力を与える摩擦ユニットを含む請求項１記載のライティングボード。
【請求項３】
前記二本のメインフレームの間の前記パネル部の裏側に固定される他のパネル部を含む請求項１又は２記載のライティングボード。
【請求項４】
前記パネル部を保持し、前記昇降ガイドレールにガイドされ、昇降可能とされた昇降ガイド台を有し、
前記昇降ガイド台は、前記ワイヤの一端が連結されることを特徴とする請求項１乃至３のいずれか一項記載のライティングボード。
【請求項５】
前記パネル部は、側方に突出した回転シャフトと、
前記回転シャフトの上方に配置され、側方に突出した止めシャフトと、を含み、
前記昇降ガイドレールは、前記止めシャフトをガイドレールから離脱、又は、前記止めシャフトをガイドレールに装着する上開口部と、
前記上開口部の下側に設けられ、前記止めシャフトをガイドレールから離脱、又は、前記止めシャフトをガイドレールに装着する下開口部と、を含み、
前記パネル部は、前記止めシャフトを前記上開口部又は前記下開口部を通して前記昇降ガイドレールから離脱させた後、前記回転シャフトを前記昇降ガイドレールに沿って昇降及び回転させ、前記止めシャフトを前記下開口部又は前記上開口部と通して前記昇降ガイドレールに装着させることにより、表面と裏面とを反転可能された請求項１乃至４のいずれか一項記載のライティングボード。
【請求項６】
前記昇降ガイドレールに設けられ、前記昇降ガイド台に突き当たり、前記パネル部の移動範囲を最大昇降位置で制限する請求項４又は５記載のライティングボード。
【考案の詳細な説明】
【技術分野】
【０００１】
本考案は、ライティングボードに係り、特に、昇降機能を有するライティングボードに関する。
【背景技術】
【０００２】
従来のホワイトボードなどのライティングボードは、通常、パネルが壁掛け式や自立スタンドで一定の高さに固定された構成とされていた。パネルが固定された構成のライティングボードでは、書き手（使用者自身）の身長などにより文字を書くことができる位置が変わるため、書き手が足踏み台を使用したり、聞き手（傍聴者）の視野も席の位置によって異なるため、聞き手が一番文字を見やすい視野を得るため背伸びや腰を曲げたりしなければならない。
【０００３】
このため、業界では昇降機能を有するライティングボードが幾つか提案される。例えば、電動式で昇降させる構成のライティングボードや垂直カウンタバランスによって手動調整可能な昇降式ライティングボードなどが提案されている。
【０００４】
このうち、電動式昇降機能を有するホワイトボードでは、電力がかかるという欠点がある。また、構造上、駆動モーター、制御装置、伝達ギアセットなど複雑な部品が必要となり、また、停電時対応のために手動モードに切り替えるためのクラッチ機構や手動機構の設置も必要になるなどの問題点があった。
【０００５】
また、垂直カウンタバランスによって手動調整可能な昇降式ライティングボードでは、垂直カウンタバランス機構がライティングボードの背面に、露出して設けられていた。このため、垂直カウンタバランス機構に、ちり、ごみなどが積もりやすく、また、外部からの外圧で損傷するなどの問題点があった。さらに、取り付けられた垂直バランス機構の部品に影響されて、パネルの回転機構などを設けることができず、片面しか書けずパネル面積を拡張できないなどの問題点があった。
【０００６】
また、パネル面積を拡大するために、パネルを回転させて、両面でパネルが使用できる回転式ライティングボードも多く見受けられる。このような、回転式ライティングボードでは、パネルを回転させる時には回転止め金具を緩めるなどの多くの手間がかかっていた。また、前後方向にパネルを回転させる為のスペースが必要なので、壁際に設置できないなどの不便さがあった。
【考案の概要】
【考案が解決しようとする課題】
【０００７】
本考案は、上記の点に鑑みてなされたもので、昇降可能とされたパネル部にカウンタバランス機能を与える機構を、パネル部の昇降、回転に影響を与えずに搭載することにより、使い勝手を向上させたライティングボードを提供することを目的とする。
【課題を解決するための手段】
【０００８】
本考案に係るライティングボードは、間隔が置かれ、縦向きに設けられ、内部に縦方向に中空セルを含む二本のメインフレームと、二本のメインフレームの互いに対向する側に設けられる昇降ガイドレールと、少なくとも一つのライティングパネルと、を含み、両側が昇降ガイドレールにガイドされ、昇降ガイドレールに沿って昇降して移動できるように設けられるパネル部と、二本のメインフレームそれぞれの中空セルの上端に設置される滑車セットと、二本のメインフレームそれぞれの中空セル内部に設置され、滑車セットを介してパネル部に連結されて、パネル部にカウントバランス機能を与えるカウントバランスセットと、を含み、滑車セットは、中空セルの上端に位置決めされる位置決め台と、位置決め台に取り付けられるシャフトと、シャフトに取り付けられるアイドルプーリとを含み、カウントバランスセットは、中空セル内に昇降可能に設けられるバランスウエイトユニットと、一端がパネル部に連結され、他端が滑車セットのアイドルブールを経てバランスウエイトユニットに連結されるワイヤと、を含み、パネル部は、カウントバランスセットによるカウントバランス機能により、受けた力に応じて昇降ガイドレールに沿って上下移動するとともに、パネルへの力が解放されても一定の位置に保持される構成とされている。
【考案の効果】
【０００９】
本考案によれば、メインフレームの中空セル内部に滑車セット及びカウントバランスセットを設け、パネル部にカウントバランス機能を与える構成とすることにより、シンプルな外観を与えることができるとともに、パネル部の前面及び背面共に、カウンタバランス機能を与える機構の影響を受けることがなく、多様な構造に適用可能である。
【図面の簡単な説明】
【００１０】
【図１】本考案の一実施例の平面図である。
【図２】本考案の一実施例の要部の分解斜視図である。
【図３】本考案の一実施例の要部の破断面図である。
【図４】本考案の一実施例の動作説明図である。
【図５】本考案の一実施例の第１変形例の要部の斜視図である。
【図６】本考案の一実施例の第２変形例の要部の平面図である。
【図７】本考案の一実施例の第２変形例の要部の分解斜視図である。
【図８】本考案の一実施例の第２変形例の動作を説明するための図である。
【図９】本考案の一実施例の第３変形例の要部の斜視図である。
【考案を実施するための形態】
【００１１】
図１は本考案の一実施例の平面図、図２は本考案の一実施例の要部の分解斜視図、図３は本考案の一実施例の要部の破断面図、図４は本考案の一実施例の動作説明図を示す。なお、図１乃至図４はあくまでも本考案の昇降式ライティングボードの好適な一実施例であり、実施例の説明のみに用いられるものであり、この実施例により実用新案登録請求範囲が制限されるものではない。
【００１２】
本実施例のライティングボードは、２本のメインフレーム１０、２本の昇降ガイドレール１１、２つの滑車セット１３、２つの昇降ガイド台２０、パネル部３０、カウントバランスセット４０を含む構成とされている。
【００１３】
２本のメインフレーム１０は、互いに一定の間隔が置かれ、縦向きに配置される。２本のメインフレーム１０は、内部に縦方向に中空セル１２を有する。
【００１４】
２本の昇降ガイドレール１１は、二本のメインフレーム１０の互いに対向する側に設けられ、昇降ガイド台２０及びパネル部３１を昇降方向にガイドする。昇降ガイド台２０は、パネル部３０の下端を支持するパネル支持部２１を有する。パネル部３０は、パネル支持部２１に下端が支持されて、昇降方向にガイドされる。
【００１５】
パネル部３０は、少なくとも一面にライティングパネル３１を有し、両側が昇降ガイドレール１１にガイドされ、昇降ガイドレール１１に沿って昇降して移動できるように取り付けられる。ライティングパネル３１は、例えば、ホワイトボード、黒板などのいわゆるライティングパネルから構成される。
【００１６】
２つの滑車セット１３は、２本のメインフレーム１０それぞれの中空セル１２の上端部に取り付けられる。２つの滑車セット１３は、それぞれ、中空セル１２の上端に位置決めされる位置決め台１３１、位置決め台１３１に取り付けられるシャフト１３２、シャフト１３２に取り付けられるアイドルプーリ１３３、摩擦ユニット１３４を含む構成とされている。
【００１７】
位置決め台１３１は、メインフレーム１０の中空セル１２の上端部に装着される。位置決め台１３１の内部には、シャフト１３２が取り付けられる。シャフト１３２は、アイドルプーリ１３３が取り付けられて、位置決め台１３１の内部の取り付けられる。摩擦ユニット１３４には、アイドルプーリ１３３に対向する側にフレキシブル摩擦面１３５を有する。摩擦ユニット１３４が位置決め台１３１に取り付けられると、フレキシブル摩擦面１３５がアイドルプーリ１３３に接触し、アイドルプーリ１３３に摩擦力を与える。
【００１８】
２つのカウントバランスセット４０は、２本のメインフレーム１０それぞれの中空セル１２内部に設けられ、滑車セット１３を介してパネル部３０に連結され、パネル部３０にカウントバランス機能を与える。
【００１９】
２つのカウントバランスセット４０は、それぞれ、中空セル１２内に昇降可能に設けられるバランスウエイトユニット４１と、一端がパネル部３０に連結され、他端が滑車セット１３のアイドルプーリ１３３を経てバランスウエイトユニット４１に連結されるワイヤ４２とを含む構成とされている。
【００２０】
バランスウエイトユニット４１は、メインフレーム１０の中空セル１２内部に昇降可能に配置される。バランスウェイトユニット４１は、パネル部３０をバランスさせるためのウエイトを与えるユニットであり、パネル３０のウエイトに応じたウエイトに設定されている。例えば、本実施例では、パネル部３０を２つのバランスウエイトユニット４１でバランスさせることになるため、一つのバランスウエイトユニット４１はパネル部３０の略半分のウエイトに設定される。
【００２１】
ワイヤ４２は、一端がパネル部３０の下端に係合される。ワイヤ４２は、パネル部３０の下端から昇降ガイドレール１１の内部を通って、メインフレーム１０の上端部にいたる。ワイヤ４２は、メインフレーム１０の上端部で、アイドルプーリ１３３の上部を通って、メインフレーム１０の中空セル１２の内部に導かれる。ワイヤ４２は、メインフレーム１０の中空セル１２の内部に導かれて、メインフレーム１０の中空セル１２の内部で、バランスウエイトユニット４１に係合する。
【００２２】
これにより、パネル部３０は、ワイヤ４２を通してバランスウエイトユニット４１と連結され、バランスする。滑車セット１３及びカウントバランスセット４０によるカウントバランス機能により、パネル部３０は、受けた力に応じて昇降ガイドレール１１に沿って上下移動するとともに、パネル部３０への力が解放されても一定の位置に保持される。
【００２３】
なお、上述のように、滑車セット１３の位置決め台１３１の内部に設けられた摩擦ユニット１３４の摩擦面１３５によりアイドルプーリ１３３に摩擦力が与えられ、アイドルプーリ１３３とワイヤ４２の動き速度を抑制される。
【００２４】
本実施例のライティングボードの動作を説明する。
【００２５】
図４に示すように、パネル部３０は受けた力に昇降ガイドレール１１に沿って上下移動する。このとき、カウントバランスセット４０によってカウントバランス機能が生じる。カウントバランスセット４０の二つのバランスウエイトユニット４１とパネル部３０とは重さが同じ場合、パネル部３０が上へ滑り動くと、バランスウエイトユニット４１が下へ移動する。パネル部３０が下へ滑り動くと、バランスウエイトユニット４１が上へ移動する。
【００２６】
このように、パネル部３０を昇降させるとき、バランスウエイトユニット４１とパネル部３０との重さが相殺するため、パネル３０の受けた力が解放されても、一定の位置が保る。したがって、パネル部３０の昇降操作が簡単になる。
【００２７】
また、パネル部３０は、滑車セット１３によって上下に滑り動くとき、滑車セット１３の位置決め台１３１のフレキシブル摩擦面１３５がアイドルプーリ１３３に対して摩擦力を発生し、アイドルプーリ１３３とワイヤ４２の動き速度を抑制する。このため、パネル部３０の昇降動作が安定し、みだりに滑り動かないようになる。
【００２８】
図５は、本考案の一実施例の第１変形例の要部の斜視図を示す。同図中、図１乃至図４と同一構成部分には同一符号を付し、その説明は省略する。
【００２９】
図５に示す本変形例のライティングボードは、２つのメインフレーム１０のパネル部３０の裏側に、第二パネル部３２が固定された構成とされている。第二パネル部３２は、パネル部３０と同様に、ホワイトボードなどを含み、パネル部３０の裏側で、２つのメインフレーム１０に対して固定されて取り付けられている。
【００３０】
第二パネル部３２は、パネル部３０を上端又は下端に移動させることにより、正面に表出する。第二パネル部３２の追加設置によって、ライティングパネル３１の面積が単一のパネル部３０の場合に比べて倍となり、それゆえ、ライティングパネル３１の面積が大幅に向上し、多くの情報を記述することができ、使用者がより便利で使いやすくなる。
【００３１】
図６は、本考案の一実施例の第２の変形例の要部の平面図、図７は、本考案の一実施例の第２の変形例の要部の分解斜視図を示す。同図中、図１乃至図４と同一構成部分には同一符号を付し、その説明は省略する。
【００３２】
図６、７に示すように、本変形例のライティングボードは、パネル部３０がメインフレーム１０に対して回転可能とされている。
【００３３】
このため、本変形例のパネル部３０は、両面にホワイトボードなどのライティングパネルが取り付けられており、両面に記述することができる構成とされている。また、本変形例のパネル部３０は、回転シャフト３０１、止めシャフト３０２を有する構成とされている。
【００３４】
回転シャフト３０１は、パネル部３０の下部の両側面から外方に突出した構成とされている。止めシャフト３０２は、パネル部３０の上部の両側面から外方に突出した構成とされている。回転シャフト３０１、及び、止めシャフト３０２は、昇降ガイド台２０に保持される構成とされている。また、２つの昇降ガイドレール１１は、正面上側の互いに対向する位置に、上開口部１４を有し、正面下側の互いに対向する位置に下開口部１５を有する。
【００３５】
上開口部１４、下開口部１５は、少なくとも止めシャフト３０２が挿入及び離脱可能な大きさに形成されている。また、上開口部１４と下開口部１５との間隔は、例えば、止めシャフト３０２の位置が上開口部１４の位置と略一致したときに、回転シャフト３０１が下開口部１５の位置よりわずかに上方となるように構成されており、止めシャフト３０２の位置が上開口部１４の位置と略一致したときに、回転シャフト３０１が上開口部１４の位置よりわずかに下方となるように構成されている。パネル部３０の上端側が昇降ガイドレール１１より正面側に離脱できる構成とされている。このとき、回転シャフト３０１は、昇降ガイドレール１１内に留まる構成とされている。これにより、パネル部３０がメインフレーム１０から完全に離脱しないように構成されている。
【００３６】
次に本変形例の動作を説明する。
【００３７】
図８は、本考案の一実施例の第２の変形例の動作を説明するための図を示す。
【００３８】
パネル部３０を回転するとき、パネル部３０を止めシャフト３０２を上開口１４から外れる位置にわずかにスライドさせる。次に、図８（Ａ）に示すようにパネル部３０の止めシャフト３０２を上開口部１４から昇降ガイドレール１１から正面側に引き出し、止めシャフト３０２を下方に移動させ、回転シャフト３０１を昇降ガイドレール１１に沿って上方に移動させる。これによって、パネル部３０を下向きに１８０度回転させることができる。
【００３９】
そして、図８（Ｂ）に示すように、パネル部３０の止めシャフト３０２を昇降ガイドレール１１の下開口１５に合わせて、昇降ガイドレール１１のレール内に導入させる。以上により、パネル部３０の表面が裏側となり、裏面が正面側となり、回転操作は、完了する。
【００４０】
再びパネル部３０を回転させるときには、下開口１５を通して止めシャフト３０２を昇降ガイドレール１１から離脱させ、止めシャフト３０２を上方に移動させる。このとき、回転シャフト２２を昇降ガイドレール１１に沿って下方に降下させる。これにより、パネル部３０は上へ１８０度回転する。次にパネル部３０の止めシャフト３０２を昇降ガイドレール１１の上開口１４の位置に合わせて昇降ガイドレール１１のレール内に導入させる。これによって、パネル３０の回転操作は完了する。
【００４１】
本変形例によれば、パネル部３０を裏面側に突出させることなく、パネル部３０を回転させることができる。よって、裏面側のスペースがないような設置場所においても両面パネルを設置できるようになる。
【００４２】
なお、昇降ガイドレール１１に昇降ガイド台２０の移動を規制するリミットバーを設けるようにしてもよい。
【００４３】
図９は、本考案の一実施例の第３変形例の要部の斜視図を示す。同図中、図１乃至図４と同一構成部分には同一符号を付し、その説明は省略する。
【００４４】
本変形例のライティングボードは、図９に示すように、昇降ガイドレール１１のレール内にリミット部５０が設けられた構成とされている。リミット部５０は、リミットバー５１から構成されている。リミットバー５１は、昇降ガイドレール１１のレール内のリミット側に設けられ、昇降ガイド台２０の端部を、リミットバー５１の端部５２で突き当てることにより、昇降ガイド台２０の昇降ガイドレール１１内での移動を規制する。
【００４５】
リミット部５０は、昇降ガイドレール１１の上端部あるは下端部に設けられ、昇降ガイド台２０を最上部位置あるいは最下部位置で制限する。
【００４６】
リミット部５０をリミットバー５１により構成することにより、パネル部３０の昇降作動を安定に行わせるようにできる。また、リミット部５０は、リミットバー５１の底部に形成された端部５２を昇降ガイド台２０の上端又は下端に突き合わせることで、パネル部３０の上昇を抑制できるので、簡単な構成で実現できる。
【００４７】
なお、第２変形例において、図７に示すように上開口１４及び／又は下開口１５に、リミットスイッチ１４１を設けるようにしてもよい。リミットスイッチ１４１は、例えば、回転レバーから構成されており、上開口１４及び／又は下開口１５の上部又は下部に設けられ、回転させることより、上開口１４及び／又は下開口１５の開口を閉蓋することができる。これにより、上開口１４及び／又は下開口１５が覆われて、パネル部３０の止めシャフト３０２がみだりに上開口１４及び／又は下開口１５から離脱しなくなる。
【００４８】
次に本実施例の効果を説明する。
【００４９】
本実施例のライティングボードによれば、メインフレーム１０の中空セル１２内部に滑車セット１３及びカウントバランスセット４０を設け、パネル部３０にカウントバランス機能を与える構成とすることにより、パネル部３０の受けた力が解放されても、一定の位置を保てるようになる。
【００５０】
このとき、カウントバランスセット４０がメインフレーム１０及び昇降ガイドレール１１によって隠されているため、ライティングボード全体として、シンプルで、簡単な外観を持つと同時に、パネル部３０の正面及び背面ともカウントバランスセット４０に影響されないので、容易に二枚パネル構造や回転式パネル構造とすることができ、ライティングボードに書ける面積を大幅に向上させることができ、実用性を向上させることができる。
【００５１】
また、摩擦ユニット１３４を設けることにより、アイドルプーリ１３３とワイヤ４２の動き速度を抑制でき、パネル部３０がみだりに滑り動かないようにでき、移動、状態を安定して行える。
【００５２】
なお、本考案は上記実施例に限定されるものではなく、本考案の要旨を逸脱しない範囲において種々の変形例が考えられることは言うまでもない。
【符号の説明】
【００５３】
１０    メインフレーム
１１    昇降ガイドレール
１２    中空セル
１３    滑車セット
１３１  位置決め台
１３２  シャフト
１３３  アイドルプーリー
１３４  摩擦ユニット
１３５  フレキシブル摩擦面
１４    上開口
１４１  リミットスイッチ
１５    下開口
２０    昇降ガイド台
２１    パネル支持部
３０    パネル部
３０１  回転シャフト
３０２  止めシャフト
３１    ライティングパネル
３２    第二パネル部
４０    カウントバランスセット
４１    カウントウエイトユニット
４２    ワイヤ
【図１】
0003155101.tif 000003
【図２】
0003155101.tif 000004
【図３】
0003155101.tif 000005
【図４】
0003155101.tif 000006
【図５】
0003155101.tif 000007
【図６】
0003155101.tif 000008
【図７】
0003155101.tif 000009
【図８】
0003155101.tif 000010
【図９】
0003155101.tif 000011